(57)【要約】本発明は、家庭やオフィス、及び住居において一般に使用されているトイレ、浴槽及び台所のシンクにおける、水のサイフォンの詰まりを解消するよう設計された手動式ポンプであって、円筒型の構造をしたベローズを有するポンプ本体（３）、ポンプ本体（３）の上部に位置する円形の水充填口（１）、及び側面のベローフラップ（４）、さらにはポンプ本体（３）の下方に位置するバルブ体（８）、バルブ体本体に取り付けられているバルブカバー（７）、並びにバルブ体（８）と、ポンプ本体（３）の下方に位置するバルブカバー（７）及びバルブカバーばね（６）を含むポンプ本体（３）との間に設置されることにより不透過性を提供する円形のゴム製不透過性ガスケット（５）を備える手動式ポンプである。
2009504971.tif 000002
【特許請求の範囲】
【請求項１】
水圧手動式トイレ用詰まり解消ポンプであって、
円筒型の構造をしたベローズを有するポンプ本体（３）と、
前記ポンプ本体（３）の上部に位置する円形の水充填口（１）と、
側面のベローフラップ（４）、さらには、
前記ポンプ本体（３）の下方に位置するバルブ体（８）、
該バルブ体本体に取り付けられているバルブカバー（７）、並びに、
前記バルブ体（８）と、前記ポンプ本体（３）の下方に位置する前記バルブカバー（７）及びバルブカバーばね（６）を含む前記ポンプ本体（３）との間に設置されることにより不透過性を提供する、円形のゴム製不透過性ガスケット（５）とを備える、
水圧手動式トイレ用詰まり解消ポンプ。
【請求項２】
前記対象となるポンプ本体（３）に水を充填するための水充填口（１）、
前記ポンプ本体（３）の、水に圧力を加える手段であるベローフラップ（４）、並びに
加圧された水をサイフォンの入り口に加えるのに役立つバルブ体（８）、及び
前記バルブ体（８）の下方に設置されているバルブカバーばね（６）を収容するバルブカバー（７）を備える、請求項１に記載の水圧手動式トイレ用詰まり解消ポンプ。
【請求項３】
前記ポンプ本体（３）がバルブ体（８）に接合する箇所から、水が出ていくのを防ぐ不透過性ガスケット（５）を備えている、請求項１又は２に記載の水圧手動式トイレ用詰まり解消ポンプ。
【発明の詳細な説明】
【発明の開示】
【０００１】
技術分野
本発明は、家庭やオフィス及びあらゆる種類の住居において一般に使用されているトイレ、浴槽及び台所のシンクにおける詰まりを取り除くように特別に設計された、水圧によって作動させる手動式ポンプに関する。
【０００２】
本発明の基本構成
本発明の対象である手動式ポンプは、一般的なシンクにおける詰まりの発生時に使用される簡易な真空手動式ポンプに基づいて発明されたものであるが、これを、現在入手できる手動式ポンプ及びトイレ用の詰まり解消装置のマイナス面を解決することによって、より簡便に、実用的に且つ安全にならしめるように再設計した。排水ホースや排水管などのサイフォンの内側に堆積する廃棄沈殿物を取り除くために、現在、様々な薬品及び真空手動式ポンプが使用されていることが、一般に知られている。トイレの詰まりを解消するために薬品を使用することは、健康に害を及ぼし、その上環境汚染も招く。このような薬品は、より高い効果を得るために熱湯を加えることによってサイフォンに注ぎ込まれ、そのような状況で発生する可能性のある有毒ガスは、人体や生物の健康を害する危険性が高い。
【０００３】
単純な真空手動式ポンプは、トイレの詰まりを解消するのによく知られた別の方法である。トイレの開口部を確実に覆うように手動式ポンプを配置した場合、サイフォンの内側に詰まっている沈殿物を排水管へ押し下げようとして上部より圧力を加えることによって真空が形成される。排水管から排出することができない汚物及び沈殿物は、トイレの穴から出てくる。ポンプで真空を生じさせる際には、サイフォン内の廃棄物によって背圧が発生する可能性があり、そのような状況では、廃水が跳ねて、側にいる人の衣服を汚す可能性があり、これは全くもって望ましくない。それ故、家庭では薬品を使用してサイフォンの詰まりを解消する方法が好まれている。薬品は、安価な製品ではなく、人体の健康を害する危険性が高く且つ環境汚染を引き起こすため、その使用も好ましくない、又は必要な際のみの最小限に留めなくてはならない。
【０００４】
我々の対象発明は、手動式ポンプであって、上述したマイナス面の全てを解決するために発明された製品であり、水圧を利用して沈殿物や廃棄物を押しやっていかなる排水管の詰まりをも解消するという目的を達成するために特別に設計されたものである。
本発明の最も重要な特徴は、薬品を一切使用せずに、手動式ポンプのみで加圧された水によってサイフォン内の廃棄物を取り除くことができるということである。
【発明を実施するための最良の形態】
【０００５】
本発明は、上述したマイナス面を解決するために設計されたものであって、製造が簡単で、実用的に使用でき、且つ薬品を一切使用する必要なく廃棄物を取り除くことが可能である、経済的な手動式ポンプを製造することを最終的な目的としている。
したがって、本発明の目的は、いかなる薬品も使う必要なく日常の使用において発生する汚物を取り除くことを可能にすることである。
【０００６】
本発明の別の目的は、清掃の際に起こる排水の跳ねかかりを防ぐことである。経済的且つ実用的な製品の開発に関しては、本発明のさらに別の目的において言及する。
本発明のさらに別の目的は、環境及び人体の健康を守る好ましい製品を提供することである。
【０００７】
本目的を達成するため、本発明の対象である手動式ポンプは、ポンプ本体（３）、このポンプ本体（３）の下方に位置するバルブ体（８）、バルブカバー（７）、バルブカバーばね（６）、及び不透過性ガスケット（５）から成り、製造が容易で且つ実用的に使用でき、また極めて経済的な製品である。
対象発明を、以下の図面によってさらに詳細に示す。
【０００８】
本発明の主題である手動式ポンプは、円筒型の構造をしたベローズを有するポンプ本体（３）、ポンプ本体（３）の上部に位置する円形の水充填口（１）、及び側面のベローフラップ（４）、さらにはポンプ本体（３）の下方に位置するバルブ体（８）、このバルブ体（８）本体に取り付けられているバルブカバー（７）、並びにバルブ体（８）と、ポンプ本体（３）の下方に位置するバルブカバー（７）及びバルブカバーばね（６）を含むポンプ本体（３）との間に設置されることにより不透過性を提供する円形のゴム製不透過性ガスケット（５）を備えている。
【０００９】
このポンプの作業方法は以下の通りである。水充填口（１）から水をポンプ本体（３）に充填し、ポンプ上部カバー（２）をポンプ本体（３）に取り付け、シンク及びトイレのサイフォンスタンプに固定的に配置し、上方から手動によって圧力を加え、バルブカバー（７）が開く。この作業中、ベローフラップ（４）は加圧下にあるので、ポンプ本体（３）内部の水は、大きな圧力によってトイレの入口から中に浸入し、こうして加圧された水によって、堆積した汚物及び沈殿物を排水ホース及び排水管に押し流すことができる。この作業の間は、不透過性ガスケット（５）は、さらなる圧力によりポンプ本体（３）とバルブ体（８）が接合する部分から水が出ていくのを防ぐ。
【図面の簡単な説明】
【００１０】
【図１】ポンプの断面図である。
【図２】収納箱の断面図及び上面図である。
【図３ａ】水を排出した後、水バルブが開いている状態の図、及び断面図である。
【図３ｂ】トイレの給水栓の下方に配置される、排出口を塞ぐための栓
【符号の説明】
【００１１】
１    水充填口
２    ポンプ上部カバー
３    ポンプ本体
４    ベローフラップ
５    不透過性ガスケット
６    バルブカバーばね
７    バルブカバー
８    バルブ体
９    ポンプ収納箱
１０  目隠しキャップ
【図１】
2009504971.tif 000003
【図２】
2009504971.tif 000004
【図３】
2009504971.tif 000005
【国際調査報告】
2009504971.tif 000006
2009504971.tif 000007